(57)【要約】【課題】アンカーに対する側方からの装着が可能であるとともに、材料費の節減が可能で、軽量な使い勝手のよい実用的なアンカー用スペーサを提供する。【解決手段】アンカー用スペーサ１を、少なくとも一方の端部に形成された略コ字状の取付部３，４と、その取付部に対して一体的に連設され、中間部が半径方向外側に膨出した略コイル状に形成された曲線状部２とから構成し、取付部３，４の開口部を介してアンカー６に対して側方から装着する。【選択図】図１
2005307457.tif 000002
【特許請求の範囲】
【請求項１】
少なくとも一方の端部に形成された略コ字状の取付部と、その取付部に対して一体的に連設され、中間部が半径方向外側に膨出した略コイル状に形成された曲線状部とからなり、前記取付部の開口部を介して側方からアンカーに装着し得るように構成したことを特徴とするアンカー用スペーサ。
【請求項２】
前記取付部と前記曲線状部とを１本の金属線材にて湾曲形成したことを特徴とする請求項１に記載のアンカー用スペーサ。
【請求項３】
前記取付部と前記曲線状部とを合成樹脂にて一体成型したことを特徴とする請求項１に記載のアンカー用スペーサ。
【請求項４】
略コ字状からなる前記取付部を両側に設けた請求項１〜３のいずれか一項に記載のアンカー用スペーサ。
【請求項５】
略コ字状からなる両側の取付部の開口部が前記曲線状部のコイル軸線を中心にして同じ方向に開口するとともに、それらの開口部をつないだ線上において前記曲線状部が交差しないように形成したことを特徴とする請求項４に記載のアンカー用スペーサ。
【発明の詳細な説明】
【技術分野】
【０００１】
本発明は、例えばロックボルト等のアンカーを地盤に設置する場合に、アンカーに装着された状態でアンカー設置用の孔に挿入され、その設置孔の内壁面に当接してアンカーの位置を保持することによりアンカーの被り厚を確保するためのアンカー用スペーサに関する。
【背景技術】
【０００２】
従来からロックボルトやグラウンドアンカーなどの各種アンカーが地盤安定化の手段として多用されている。これらのアンカーは、アンカー用の設置孔（削孔）に挿入した状態で、その周囲に適宜のグラウト材を充填することにより地盤に対して定着される。この定着作業においては、それらアンカーに対するグラウト材の被り厚を適正に確保することが重要であり、このためアンカーを設置孔の内壁面から所定の間隔をあけた状態に保持するアンカー用スペーサが一般的に使用されている。
【０００３】
斯かるアンカー用スペーサに関する従来技術としては、帯状金属板を欠円筒状に屈曲形成して両側に挿通口を形成するとともに、それらの両側の挿通口の間に支持片を筒体外方向に屈曲膨出することにより、アンカー用スペーサを形成したものが知られている（特許文献１）。また、コイル状の線状材を用いてアンカー用スペーサを形成したものも知られている（特許文献２、特許文献３）。しかしながら、これらの従来技術の場合は、アンカー用スペーサを長尺のアンカーに対して軸方向から挿通することにより装着するものであったため、その作業性に問題があった。
【特許文献１】特公昭６４−５３７号公報
【特許文献２】実開平１−１１１７４０号公報
【特許文献３】特開平７−６２６５５号公報
【発明の開示】
【発明が解決しようとする課題】
【０００４】
本発明は、以上のような従来の技術的状況に鑑みて開発したものであり、アンカーに対する側方からの装着が可能であるとともに、材料費の節減が可能で、軽量な使い勝手のよい実用的なアンカー用スペーサを提供することを目的とするものである。
【課題を解決するための手段】
【０００５】
本発明では、課題を解決するため、少なくとも一方の端部に形成された略コ字状の取付部と、その取付部に対して一体的に連設され、中間部が半径方向外側に膨出した略コイル状に形成された曲線状部とからアンカー用スペーサを構成し、前記取付部の開口部を介して側方からアンカーに装着するという技術手段を採用した。因みに、ここでいう略コ字状の取付部とは、アンカーに対して側方から取付可能な開口部を有し、かつその取付状態を保持し得るものであればよく、開口部を形成する両側部の間隔を先端に向けて狭く形成したり、それらの先端部に係止部を形成したものや、あるいはそれらの開口部を形成する両側部が円弧状に形成されたものなどでもよい。前記取付部と前記曲線状部は１本の金属線材にて湾曲形成してもよいし、合成樹脂にて一体成型してもよい。また、略コ字状からなる前記取付部を両側に設けもよいし、一方は巻付けるように装着する形態のものも可能である。略コ字状からなる取付部を両側に設ける場合に、それらの取付部を構成する略コ字状の開口部を前記曲線状部のコイル軸線を中心に同じ方向に設定するとともに、それらの開口部をつないだ線上において前記曲線状部が交差しないように設定することにより、両側の取付部の開口部を介して直接的かつ簡便にアンカーの側方から装着し得るように構成することができる。
【発明の効果】
【０００６】
本発明によれば、次の効果を得ることができる。
（１）本発明に係るアンカー用スペーサは、略コ字状からなる取付部の開口部を介してアンカーに対して側方から簡便に装着することができ、その作業性を大幅に向上できる。
（２）本発明に係るアンカー用スペーサは、少なくとも一方の端部に形成された略コ字状の取付部と、中間部が半径方向外側に膨出した略コイル状に形成された曲線状部とから構成したので、その材料費の節減が可能であるとともに、軽量の使い勝手のよいアンカー用スペーサを提供できる。
（３）本発明に係るアンカー用スペーサでは、中間部が半径方向外側に膨出した略コイル状に形成された曲線状部を採用しているので、その曲線状部の伸縮により外径の大きさが調整される。したがって、アンカー用の設置孔の内径の変化に容易に対応できる。
（４）略コ字状からなる取付部を両側に設け、それらの両側の取付部の開口部を曲線状部のコイル軸線を中心にして同じ方向にするとともに、それらの開口部をつないだ線上において前記曲線状部が交差しないように形成した場合には、アンカーに対する側方からの装着が更に簡便になるとともに、設置孔に挿入するに際して突出部等の障害物に遭遇した場合に、前記開口部の位置を障害物に合せることによって、障害物をより簡便に通過させることができる。
【発明を実施するための最良の形態】
【０００７】
本発明に係るアンカー用スペーサは、ネジ鉄筋や異形鉄筋等からなるロックボルトやグラウンドアンカーなどの各種のアンカーを設置孔に挿入した際の位置保持用のスペーサとして広く適用できる。本発明に係るアンカー用スペーサは、バネ鋼材などの弾性変形に富む素材から構成することが望ましいが、設置孔への挿入時に支障のないアンカーに対する保持力を有するものであればよい。前記取付部と前記曲線状部は１本の金属線材にて一体的に湾曲形成してもよいし、合成樹脂等にて一体成型してもよい。また、それらの取付部及び曲線状部の断面形状に関しては、円形でも楕円形でも矩形状のものでもよい。少なくとも一方の端部には略コ字状の取付部を形成し、この取付部の開口部をアンカーの側面に押し当ててその開口部を拡開することにより、アンカーに対して側方から簡便に装着し得るように構成される。前述のように、その略コ字状の取付部とは、アンカーに対して側方から取付可能な開口部を有し、かつその取付状態を保持し得るものであればよく、開口部を形成する両側部の間隔を先端に向けて狭く形成したり、それらの先端部に係止部を形成したものや、あるいは前記開口部を形成する両側部を円弧状に形成したものなどでもよい。また、これらの取付部自体のバネ力により開口部の幅に融通性をもたせるように構成して、異なる径のアンカーに対しても適用し得るように構成することも可能である。そして、前記取付部に対しては、中間部が半径方向外側に膨出した略コイル状に形成された曲線状部が連設されており、この曲線状部の膨出部が設置孔の内壁面に当接して、アンカーを該内壁面から所定の間隔離間して保持することになる。
【０００８】
前記曲線状部は、そのコイル軸線の回りを１周しない状態のものでもよいし、１周以上巻いた状態のものでもよい。前者の１周未満の場合に、後述の実施例のように、その曲線状部の両端部に略コ字状からなる取付部を設けて、それらの両側の取付部の開口部を同じ方向に開口させるとともに、それらの開口部をつないだ線上において曲線状部が交差しないように形成すれば、両側の取付部の開口部を同時にアンカーの側面に当接させて押圧することにより、直接的かつ簡便に装着することが可能である。後者の曲線状部が１周以上巻かれた形態の場合には、その両端部に略コ字状からなる取付部を設けてもよいし、一端部に略コ字状からなる取付部を設け、他端部にアンカーに巻付けることにより装着可能な小径支持部を設けたものでもよい。しかして、曲線状部が１周以上巻かれてなるアンカー用スペーサをアンカーに装着する場合には、一端部に設けた略コ字状の取付部あるいは小径支持部をアンカーに対して側方から外嵌するとともに、曲線状部をコイル状の線材間を介して押込みながら徐々にアンカーの周りに巻付け、最後に他端部に設けた略コ字状の取付部の開口部をアンカーに外嵌することにより、アンカー用スペーサをアンカーに側方から装着することができる。なお、曲線状部の一端部に設ける略コ字状の取付部はアンカーに対して的確に固定できるように構成するとともに、他端部に設ける略コ字状の取付部あるいは小径支持部はアンカーに対して摺動し得るように大きめの寸法に設定してもよい。この場合には、設置孔の内径に応じてアンカー用スペーサが軸方向に伸縮して曲線状部の中間部の外径が自動的に調整されることになる。
【実施例１】
【０００９】
図１は本発明に係るアンカー用スペーサの第１実施例を示した正面図、図２はその平面図、図３は右側面図である。図示のように、本実施例に係るアンカー用スペーサ１は、軸線Ｃを中心に中間部が半径方向外側に膨出した略コイル状に形成された曲線状部２と、その両側に一体的に形成した略コ字状の取付部３，４から構成される。本実施例では、図２に示したように、両側の取付部３，４の開口部をコイル軸線Ｃを中心にして同じ方向に開口するとともに、それらの開口部をつないだ線上において前記曲線状部２が交差しないように構成して間隙部５を形成し、その間隙部５を介してネジ鉄筋からなるアンカー６を挿入することにより側方から装着できるように構成した。
【００１０】
図４及び図５は前記アンカー用スペーサ１をアンカー６に装着した状態を示したものであり、図４は標準状態での装着状態を示した正面図、図５は伸長状態での装着状態を示した正面図である。図４に示したように、アンカー用スペーサ１をそのままの標準状態でアンカー６に装着した場合の全長をＬａ、外径Ｄａとした場合に、設置孔の内径に応じて外径をＤｂに縮小したい場合には、図５に示したように、取付部３，４間を拡げてアンカー用スペーサ１の全長をＬｂに伸長することにより可能である。因みに、設置孔の内径に応じて外径を逆に大きくしたい場合には、取付部３，４間を縮めてアンカー用スペーサ１の全長を縮小することにより可能である。
【００１１】
図６〜図９は取付部３，４のアンカー６に対する取付状態を例示したものである。図６及び図７に示した取付部３，４の場合は、図６に示したように略コ字状の開口部を形成する両側部７，８をアンカー６を構成するネジ鉄筋の平坦部に沿うように平行に形成するとともに、図７に示したように取付状態において取付部３，４がアンカー６のネジ溝に嵌入し得るように構成した場合を示した。なお、取付部３，４の末端部に折返し部９を形成して、その内側の湾曲面１０によって両側部７，８間の間隔を若干縮小することにより、アンカー６に対する抜け止用の係止部としている。図８に示した取付部３，４の場合は、その略コ字状の開口部を形成する両側部１１，１２を円弧状に形成した場合を示した。さらに、図９では、取付状態において取付部３，４がアンカー６のネジ溝には嵌入しないで交差する形態を採用した場合を示した。
【００１２】
なお、以上の取付部３，４の例示は限定的なものではなく、前述のようにアンカーに対して側方から取付可能な開口部を有し、かつその取付状態を保持し得るものであれば他の形状の採用が可能である。因みに、アンカー６に対する取付位置に関する固定力の大きさは、取付部３，４の素材としての弾性係数や、略コ字状の開口部を形成する前記両側部の具体的形状、それらの両側部間の間隔、折返し部９による間隔の縮小の度合などによって調整することが可能である。その場合に、両側の取付部３，４のアンカー６に対する位置固定力を同等に設定してもよいし、一方の取付部の略コ字状の開口部を緩めに設定してアンカー６に対する位置固定力を弱めて移動可能に構成することも可能である。図１０はアンカー用スペーサ１をアンカー６に装着した状態で設置孔１３に挿入する場合を示した状態説明図である。この図１０においては、アンカー６の設置孔１３への挿入方向後方の取付部４の位置固定力を弱く設定した場合における、設置孔１３への挿入状態を示した。しかして、この形態の場合には、図示のように設置孔１３の途中の凸部１４にアンカー用スペーサ１を構成する曲線状部２の一部が掛止すると、後部の取付部４の取付位置が後方に移動しながら、曲線状部２の掛止部分が凸部１４から逃げる方向に変形して、前記凸部１４を容易に乗越えることができるので、よりスムーズな設置孔１３への挿入が可能である。
【００１３】
図１１及び図１２はアンカー用スペーサ１を装着したアンカー６を設置孔１３に挿入する他の場合を示した状態説明図である。図中、１５は設置孔１３の内壁面に突出した岩やれき等の突出部である。図示のように、設置孔１３の内壁面に突出部１５が存在する場合に、その設置孔１３内にアンカー用スペーサ１を装着したアンカー６を挿入しようとすると、アンカー用スペーサ１を構成する略コイル状の曲線状部２が突出部１５に干渉して前進が阻止されることになる。その場合には、アンカー６を徐々に回転しながら前進させることにより、曲線状部２の周囲の螺旋状の間隙や図２に示した両側の取付部３，４の開口部をつないだ線上に形成された隙部５を介して、突出部１５を図１２に示したように後方へ通過させることができる。したがって、設置孔１３内の多少の突出部１５が存在しても、アンカー６を適当に回転しながら前進させることにより容易に挿入することが可能である。
【実施例２】
【００１４】
図１３は本発明に係るアンカー用スペーサの第２実施例を示した正面図、図１４はその左側面図である。図示のように、本実施例に係るアンカー用スペーサ１６は、略コイル状の曲線状部１７の中間部の膨出部の変化を緩やかにして、その部分を長く形成したものである。このように、本実施例に係るアンカー用スペーサ１６では、曲線状部１７の中間部の膨出部の部分を長く取ったので、図１５に示したように、曲線状部１７が設置孔１３の内壁面の凹凸に応じて変形しやすくなり、アンカー６のより円滑な挿入が可能である。
【実施例３】
【００１５】
図１６は本発明に係るアンカー用スペーサの第３実施例を示した正面図、図１７はその右側面図である。図示のように、本実施例に係るアンカー用スペーサ１８は、両側に形成した略コ字状の取付部１９，２０の間に前記第１実施例に係るアンカー用スペーサ１を３個分連設した形態から構成したものである。すなわち、図１７に示したように、本実施例に係るアンカー用スペーサ１８は、図１及び図４に示した前記曲線状部２を３個分（ａ〜ｃ）連設することにより曲線状部２１を構成している。本実施例の場合にも、アンカー用スペーサ１８を構成する前記曲線状部２１は、略コ字状の取付部１９，２０の開口部をつないだ線上において交差しないようにして間隙部を形成し、その間隙部を介してアンカー６を挿入することにより側方から装着できるように構成している。以上のように、略コイル状からなる単位の曲線状部を方向を逆転しながら複数個連設して全長の長い曲線状部を形成することも可能であり、この場合には、設置孔１３の内壁面との接触面積が増加してアンカー６に対するより安定的な位置保持機能が得られることになる。
【実施例４】
【００１６】
図１８は本発明に係るアンカー用スペーサの第４実施例を示した正面図である。図示のように、本実施例に係るアンカー用スペーサ２２は、その両側の取付部２３，２４及びその間の略コイル状の曲線状部２５を二重の線材から構成して、設置孔１３の内壁面との接触面積を増やしてアンカー６に対するより安定的な位置保持機能を図ったものである。なお、取付部２３，２４は、紙面裏側に向けて開口した略コ字状に形成されている。
【実施例５】
【００１７】
図１９は本発明に係るアンカー用スペーサの他の使用状態を示した正面図、図２０はその平面図である。図示のように、本実施例に係る使用状態においては、図２に示したように両側の取付部３，４の開口部をつないだ線上に形成した前記間隙部５を介してアンカー６を挿入した後に残る間隙部を利用してグラウト材の注入ホース２６を挿通した点で特徴を有する。この場合には、前記間隙部５を介してアンカー６を挿入した後に残る間隙部を利用して注入ホース２６を挿通するようにした結果、注入ホース２６がアンカー用スペーサの外側に突出することはないので、アンカー６を設置孔１３のほぼ中央部に保持することができる。因みに、図２１に示したように、両側の取付部３，４の開口部をつないだ線上に形成する前記間隙部５を、その先端部に向って間隔が狭くなるように形成すれば、注入ホース２６をより確実に保持できる。
【図面の簡単な説明】
【００１８】
【図１】本発明の第１実施例を示した正面図である。
【図２】同実施例を示した平面図である。
【図３】同実施例を示した右側面図である。
【図４】アンカー用スペーサを標準の状態でアンカーに装着した装着状態を示した正面図である。
【図５】アンカー用スペーサを伸長した状態でアンカーに装着した装着状態を示した正面図である。
【図６】アンカー用スペーサの取付部のアンカーに対する取付方を示した取付状態説明図である。
【図７】図６の右側面図である。
【図８】アンカー用スペーサの取付部のアンカーに対する他の取付方を示した取付状態説明図である。
【図９】アンカー用スペーサの取付部のアンカーに対する他の取付方を示した取付状態説明図である。
【図１０】アンカー用スペーサを装着したアンカーを設置孔に挿入する場合を示した状態説明図である。
【図１１】アンカー用スペーサを装着したアンカーを設置孔に挿入する他の場合を示した状態説明図である。
【図１２】アンカー用スペーサを装着したアンカーを設置孔に挿入する他の場合を示した状態説明図である。
【図１３】本発明の第２実施例を示した正面図である。
【図１４】同実施例を示した左側面図である。
【図１５】同実施例に係るアンカー用スペーサを装着したアンカーを設置孔に挿入する場合を示した状態説明図である。
【図１６】本発明の第３実施例を示した正面図である。
【図１７】同実施例の右側面図である。
【図１８】本発明の第４実施例を示した正面図である。
【図１９】本発明に係るアンカー用スペーサの他の使用状態を示した正面図である。
【図２０】図１９の平面図である。
【図２１】図１９のアンカー用スペーサの変形例を示した平面図である。
【符号の説明】
【００１９】
１…アンカー用スペーサ、２…曲線状部、３，４…取付部、５…間隙部、６…アンカー、７，８…略コ字状開口部の両側部、９…折返し部、１０…湾曲面、１１，１２…略コ字状開口部の両側部、１３…設置孔、１４…凸部、１５…突出部、１６…アンカー用スペーサ、１７…曲線状部、１８…アンカー用スペーサ、１９，２０…取付部、２１…曲線状部、２２…アンカー用スペーサ、２３，２４…取付部、２５…曲線状部、２６…注入ホース
【図１】
2005307457.tif 000003
【図２】
2005307457.tif 000004
【図３】
2005307457.tif 000005
【図４】
2005307457.tif 000006
【図５】
2005307457.tif 000007
【図６】
2005307457.tif 000008
【図７】
2005307457.tif 000009
【図８】
2005307457.tif 000010
【図９】
2005307457.tif 000011
【図１０】
2005307457.tif 000012
【図１１】
2005307457.tif 000013
【図１２】
2005307457.tif 000014
【図１３】
2005307457.tif 000015
【図１４】
2005307457.tif 000016
【図１５】
2005307457.tif 000017
【図１６】
2005307457.tif 000018
【図１７】
2005307457.tif 000019
【図１８】
2005307457.tif 000020
【図１９】
2005307457.tif 000021
【図２０】
2005307457.tif 000022
【図２１】
2005307457.tif 000023